(57)【要約】【課題】表示体の表示領域内に温度差が生じている場合でも、再現性のよい画像表示が可能な画像表示装置、及び、画像表示方法を提供する。【解決手段】表示体パネル１に複数の温度センサ３１Ａ〜３１Ｅを設け、各温度センサ３１Ａ〜３１Ｅで計測した温度情報に基づき、表示領域の一部に大きな温度差が生じているか否かを検出する。そのような領域がある場合には、当該領域は他の領域とは異なる駆動条件を設定し、当該駆動条件に応じたＳｅｌｅｃｔｉｏｎ電圧を表示体駆動回路２１に出力する。表示体駆動回路２１は、当該表示体駆動制御回路４４から出力されたＳｅｌｅｃｔｉｏｎ電圧に応じて駆動電圧波形を生成し、表示体パネル１の画素に印加する。これにより、温度差に応じた画像表示が可能である。【選択図】図１
2007298957.tif 000002
【特許請求の範囲】
【請求項１】
表示体に画像を表示する画像表示装置であって、
前記表示体の複数の表示領域の温度をそれぞれ計測する温度計測部と、
前記温度計測部により計測した温度に基づいて、前記複数の表示領域のうちの一の表示領域と他の表示領域との温度差が閾値を超えるか否かを判定する判定部と、
前記画像の画像データに応じて、前記表示体に前記画像を表示するための駆動条件を設定する駆動条件設定部と、
前記判定部によって前記温度差が閾値を超えると判定された場合に、前記設定された駆動条件を、前記温度差が前記閾値以下と判定された場合とは異なる駆動条件に変更する駆動条件変更部と、
前記駆動条件変更部により変更された駆動条件で前記表示体を駆動し、前記表示体に前記画像を表示する表示体駆動部と、
を備えた画像表示装置。
【請求項２】
請求項１に記載の画像表示装置において、
前記温度差が前記閾値を超えると判定された場合、前記画像を構成する画素の画像データとしての画素階調値を、前記表示体駆動部が表示する画像を構成する画素の画像データとしての表示階調値に変更設定する階調設定部を更に備え、
前記駆動条件変更部は、前記変更設定された表示階調値を画像データとして前記駆動条件設定部が設定する駆動条件に、前記設定された駆動条件を変更することを特徴とする画像表示装置。
【請求項３】
前記階調設定部は、前記表示体の総ての表示領域に表示させる画像データについて、前記画素階調値を前記表示階調値に変更設定することを特徴とする請求項２に記載の画像表示装置。
【請求項４】
前記階調設定部は、前記一の表示領域及び前記他の表示領域のうちのいずれか一方に表示させる画像データについて、前記画素階調値を前記表示階調値に変更設定することを特徴とする請求項２に記載の画像表示装置。
【請求項５】
前記階調設定部は、前記表示階調値を、前記閾値以下と判定された場合よりも表示する階調数が少ない表示階調値になるように変更設定することを特徴とする請求項２ないし４のいずれか一項に記載の画像表示装置。
【請求項６】
前記階調設定部は、前記画素階調値と前記表示階調値との対応関係を規定するテーブルに基づいて、前記画素階調値を前記表示階調値に変更設定することを特徴とする請求項２ないし４のいずれか一項に記載の画像表示装置。
【請求項７】
前記階調設定部は、前記閾値以下と判定された場合とは異なる表示階調値を設定することを特徴とする請求項６に記載の画像表示装置。
【請求項８】
前記画素階調値が、予め定められた前記表示階調値に変換されるように、前記画素階調値を変更した変更画素階調値を生成する画像生成部を備え、
前記階調設定部は、前記変更画素階調値を前記画素階調値として前記変更設定を行うことを特徴とする請求項５ないし７のいずれか一項に記載の画像表示装置。
【請求項９】
請求項１ないし８のいずれか一項に記載の画像表示装置であって、
前記駆動条件設定部は、前記温度差が閾値を超えると判定された前記一の表示領域についての前記計測された温度を除いて、前記他の表示領域について前記計測された温度の平均値を算出し、前記画像の画像データに加えて当該算出された平均値に応じた駆動条件を設定することを特徴とする画像表示装置。
【請求項１０】
前記駆動条件設定部は、前記表示体に表示される画像の階調表示数以上の種類数を有する前記駆動条件から、前記画像データに応じた駆動条件を設定することを特徴とする請求項１ないし７のいずれか一項に記載の画像表示装置。
【請求項１１】
前記表示体の表示材料は、最終的な画像表示状態において、分子配向が異なる複数の最終配向状態を呈する液晶材料であり、
前記表示体駆動部は、前記分子配向の配向状態を前記最終配向状態とは異なる過渡配向状態に遷移させた後、前記最終分子配向状態を選択期間で選択する駆動方式を用いて、前記表示体を駆動することを特徴とする請求項１ないし１０のいずれか一項に記載の画像表示装置。
【請求項１２】
前記表示体は、表示材料としてコレステリック液晶分子を用いたものであることを特徴とする請求項１１に記載の画像表示装置。
【請求項１３】
表示体に画像を表示する画像表示方法であって、
前記表示体の複数の表示領域の温度をそれぞれ計測する温度計測工程と、
前記温度計測工程により計測した温度に基づいて、前記複数の表示領域のうちの一の表示領域と他の表示領域との温度差が閾値を超えるか否かを判定する判定工程と、
前記画像の画像データに応じて、前記表示体に前記画像を表示するための駆動条件を設定する駆動条件設定工程と、
前記判定工程によって前記温度差が閾値を超えると判定された場合に、前記設定された駆動条件を、前記温度差が閾値以下と判定された場合とは異なる駆動条件に変更する駆動条件変更工程と、
前記駆動条件変更工程により変更された駆動条件で前記表示体を駆動し、前記表示体に前記画像を表示する表示体駆動工程と、
を備えた画像表示方法。
【発明の詳細な説明】
【技術分野】
【０００１】
本発明は画像表示装置、及び画像表示方法に関するもので、特に温度によって特性が変化する表示体を備えた画像表示装置に好適な技術に関するものである。
【背景技術】
【０００２】
昨今、種々の情報を画像として表示する画像表示装置において、記憶性の表示体を有する画像表示装置の実用化が進められている。記憶性の表示体は、書き換え時のみに電力を消費するので、通常の表示体に比べて圧倒的に消費電力が少ない。このため、電池容量を小さくして、画像表示装置を有する機器を小型化できるので、例えば電子ブックなどの機器に適した表示体として注目されている。
【０００３】
このような記憶性の表示体としては、コレステリック液晶を表示材料として用いた表示体が挙げられる。そして、コレステリック液晶を用いた場合、特許文献１に開示されたコレステリック液晶の駆動方式としてのＤＤＳ（Ｄｙｎａｍｉｃ  Ｄｒｉｖｅ  ｓｃｈｅｍｅ）駆動方式により、画像の高速な書き換えを実現できる。
【特許文献１】米国特許第５７４８２７７号明細書
【発明の開示】
【発明が解決しようとする課題】
【０００４】
しかしながら、記憶性を有する表示体の表示材料は、消費電力が少ないという利点を有する一方、温度によって粘度が変化しやすいことから、温度に依存して表示特性が変化しやすい温度依存性を有するという課題もある。このため、コレステリック液晶を上記ＤＤＳ駆動方式で駆動した場合には、特許文献１にも開示されているように、温度による表示特性の変化が大きく、例えば、温度変化１℃以下の単位で、コレスレリック液晶に印加する電圧などといった駆動パラメータを制御する必要がある。
【０００５】
このため、従来は問題とならなかったケース、例えば、熱源が表示体の近くにあるとき等、コレステリック液晶の温度に関して表示体の表示領域内で温度差が見受けられる場合について、この温度差による表示特性の変化に対して対策を行う必要が生じている。特に、パッシブ駆動の表示体に関しては、アクティブ駆動に比較して駆動パラメータの種類が通常少ないため、温度差が見受けられる場所に応じて最適な駆動パラメータに変化させることが困難である。そのため、温度が異なる表示領域では本来の表示とは異なる表示が行われて、表示される画像の再現性が低下する課題がある。特に温度差が激しい場合には、例えば当該部分が真っ白あるいは真っ黒に表示されるという課題がある。
本発明はこのような課題に鑑みてなされたものであり、表示体の表示領域内に温度差が生じている場合でも、再現性のよい画像表示が可能な画像表示装置、及び、画像表示方法を提供することを目的とする。
【課題を解決するための手段】
【０００６】
上記課題を解決するため、本発明は表示体に画像を表示する画像表示装置であって、前記表示体の複数の表示領域の温度をそれぞれ計測する温度計測部と、前記温度計測部により計測した温度に基づいて、前記複数の表示領域のうちの一の表示領域と他の表示領域との温度差が閾値を超えるか否かを判定する判定部と、前記画像の画像データに応じて、前記表示体に前記画像を表示するための駆動条件を設定する駆動条件設定部と、前記判定部によって前記温度差が閾値を超えると判定された場合に、前記設定された駆動条件を、前記温度差が前記閾値以下と判定された場合とは異なる駆動条件に変更する駆動条件変更部と、前記駆動条件変更部により変更された駆動条件で前記表示体を駆動し、前記表示体に前記画像を表示する表示体駆動部と、を備えたことを要旨とする。
【０００７】
この構成によれば、表示体の表示領域のうち、一の領域と他の領域との間に閾値を超える温度差が生じていても、駆動条件を変更することで、再現性のよい表示が可能となる。なお、本発明における駆動条件とは、表示体の各画素に印加する電圧の印加時間、もしくは印加電圧値を含むものである。
また、本発明の画像表示装置は、前記温度差が前記閾値を超えると判定された場合、前記画像を構成する画素の画像データとしての画素階調値を、前記表示体駆動部が表示する画像を構成する画素の画像データとしての表示階調値に変更設定する階調設定部を更に備え、前記駆動条件変更部は、前記変更設定された表示階調値を画像データとして前記駆動条件設定部が設定する駆動条件に、前記設定された駆動条件を変更することとしてもよい。
【０００８】
こうすれば、表示領域の温度差に応じて、表示体に表示するための画像を構成する画素の階調値（画素階調値）を、実際に表示する画像を構成する画素の階調値（表示階調値）に変更変換し、変換された表示階調値に応じた駆動条件で表示体が駆動される。従って、実際に表示される画像は変換された表示階調値によって温度補償されることになり、この結果、温度差が生じている表示体において、再現性のよい画像表示を行うことが可能になる。
【０００９】
ここで、前記階調設定部は、前記表示体の総ての表示領域に表示させる画像データについて、前記画素階調値を前記表示階調値に変更設定することが好ましい。
温度差が閾値を超えた表示領域が表示体に生じた場合、表示体全体の画像データについて、画素階調値を表示階調値に変換することによって、実際に表示体全体の駆動条件を変更する。こうすれば、総ての表示領域についての画素階調値を、例えば表示領域に生じる温度差に合わせて好ましい駆動条件になるように変更すれば、実際に表示される画像は変換された表示階調値によって温度補償されることになり、この結果、温度差に対して再現性のよい画像表示を行うことが可能になる。
【００１０】
あるいは、前記階調設定部は、前記一の表示領域及び前記他の表示領域のうちのいずれか一方に表示させる画像データについて、前記画素階調値を前記表示階調値に変更設定することが好ましい。
例えば、一の表示領域の温度が上昇又は下降して変化し、他の表示領域に対する温度差が閾値を超えた場合、表示体全体の画像データのうち、一の表示領域についてのみ画素階調値を表示階調値に変換して、当該表示領域に実際に表示する画像の駆動条件を変更する。従って、例えば当該表示領域に生じる温度差に合わせて好ましい駆動条件になるように画素階調値を表示階調値に変換すれば、実際に当該表示領域に表示される画像は変換された表示階調値によって温度補償されることになる。この結果、温度差に対して再現性のよい画像表示を行うことが可能になる。
【００１１】
また、前記階調設定部は、前記表示階調値を、前記閾値以下と判定された場合よりも表示する階調数が少ない表示階調値になるように変更設定することとしてもよい。
温度差が閾値を超えた場合は、例えば温度が大きく変化している表示領域において、画像が本来有する階調表示を行うことが困難な場合が存在する。このような場合、２値表示（例えば白色か黒色かの２つの階調のみを表示）するなどといったように表示する階調数を少なくすることができる。そして、例えば１つの文字が太くなったり細くなったりすることを回避するように、中間調（例えば灰色）を、黒色か白色かに前もって変更すれば、アンチエイリアスの実現が出来ないものの適切に文字画像を表示することができる。この結果、温度差に影響されない再現性のよい画像を表示することができる。
【００１２】
あるいは、前記階調設定部は、前記画素階調値と前記表示階調値との対応関係を規定するテーブルに基づいて、前記画素階調値を前記表示階調値に変更設定することとしてもよい。
こうすれば、温度差に応じて、規定されたテーブルに基づいて画素階調値を表示階調値に容易に変更設定することができる。この結果、表示体の画面が全体的に暗くなり過ぎたり、明るくなり過ぎたりする現象を改善することができ、温度差に対して再現性のよい画像表示を行うことが可能になる。
【００１３】
さらに、前記階調設定部は、前記閾値以下と判定された場合とは異なる表示階調値を設定することが好ましい。
温度差が閾値を超える場合は、一の表示領域の温度と他の表示領域の温度との温度差が大きい場合である。このような場合、温度差が小さい場合に比較して表示階調値を変えることによって駆動条件を変更する。こうすれば、表示体の画面が全体的に暗くなり過ぎたり、明るくなり過ぎたりする現象を改善することができ、温度差に対して再現性の良い画像表示を行うことができる。
【００１４】
ここで、前記画素階調値が、予め定められた前記表示階調値に変換されるように、前記画素階調値を変更した変更画素階調値を生成する画像生成部を備え、前記階調設定部は、前記変更画素階調値を前記画素階調値として前記変更設定を行うこととしてもよい。
こうすれば、温度差に応じてテーブルによって変更変換した表示階調値は、予め定められた表示階調値に常に変換される。従って、表示体を駆動する駆動条件は常に同じ条件とすることができるので、駆動条件の種類数に限度がある場合は、表示階調値に対応する駆動条件が、この限度ある種類数の駆動条件となるように表示階調値を予め定めておけば、有効に温度補償を行うことができる。
【００１５】
また、前記駆動条件設定部は、前記温度差が閾値を超えると判定された前記一の表示領域についての前記計測された温度を除いて、前記他の表示領域について前記計測された温度の平均値を算出し、前記画像の画像データ加えて当該算出された平均値に応じた駆動条件を設定することとしてもよい。
こうすれば、画像データに加えて、他の表示領域に比較して閾値を超える温度差が生じている表示領域を除いた表示領域の平均温度に応じて駆動条件を設定する。従って、表示領域全域において、表示領域毎に適切な駆動条件で表示体を駆動することができるので、閾値を超える温度差が生じている表示体において、再現性の良い画像表示を行うことができる。
【００１６】
また、前記駆動条件設定部は、前記表示体に表示される画像の階調表示数以上の種類数を有する前記駆動条件から、前記画像データに応じた駆動条件を設定することとしてもよい。
こうすれば、温度差に応じた駆動条件を、表示階調値に応じて複数の駆動条件から設定することができるので、閾値を超える温度差が生じている表示体において、再現性の良い画像表示を行うことができる。
【００１７】
ここで、前記表示体の表示材料は、最終的な画像表示状態において、分子配向が異なる複数の最終配向状態を呈する液晶材料であり、前記表示体駆動部は、前記分子配向の配向状態を前記最終配向状態とは異なる過渡配向状態に遷移させた後、前記最終配向状態を選択期間で選択する駆動方式を用いて、前記表示体を駆動することとしてもよい。
さらに、前記表示体は、表示材料としてコレステリック液晶分子を用いたものであることとしてもよい。
【００１８】
このような駆動方式の例としては、例えば、前述したコレステリック液晶のＤＤＳ駆動方式が挙げられる。この場合、過渡的な配向状態とは、ホメオトロピック配向が相当する。その後、最終配向状態（プレーナ配向またはフォーカルコニック配向）を選択するための選択期間において、ホメオトロピック配向を過渡プレーナ配向に選択的に遷移させる。この過渡プレーナ配向は短時間で遷移させることができるため書き換え時間を大幅に短縮できるという利点がある。一方で、この過渡プレーナ配向は温度によって遷移の可否が左右されることから、高い精度の温度補償が要求される。従って、本発明の適用が非常に有効である。
また、コレステリック液晶は、上記ＤＤＳ駆動方式によって駆動できる表示材料であり、温度変化による特性の変化が大きいので、本発明の適用が非常に効果的である。
【００１９】
本発明を画像表示方法として捉えることもできる。すなわち、表示体に画像を表示する画像表示方法であって、前記表示体の複数の表示領域の温度をそれぞれ計測する温度計測工程と、前記温度計測工程により計測した温度に基づいて、前記複数の表示領域のうちの一の表示領域と他の表示領域との温度差が閾値を超えるか否かを判定する判定工程と、前記画像の画像データに応じて、前記表示体に前記画像を表示するための駆動条件を設定する駆動条件設定工程と、前記判定工程によって前記温度差が閾値を超えると判定された場合に、前記設定された駆動条件を、前記温度差が閾値以下と判定された場合とは異なる駆動条件に変更する駆動条件変更工程と、前記駆動条件変更工程により変更された駆動条件で前記表示体を駆動し、前記表示体に前記画像を表示する表示体駆動工程と、を備えたことを要旨とする。
本発明の画像表示方法によれば、上述した本発明の画像表示装置と同様の作用効果を得ることができる。なお、この画像表示方法は、上述した画像表示装置の各機能を実現するような工程を追加してもよい。
【発明を実施するための最良の形態】
【００２０】
次に、本発明を具体化した一実施形態としての画像表示装置について、以下の順序で説明する。
（Ａ）画像表示装置の機能構成について
（Ｂ）コレステリック液晶のＤＤＳ駆動方式について
（Ｃ）本実施形態での温度補償の第１実施例
（Ｄ）本実施形態での温度補償の第２実施例
（Ｅ）本実施形態での温度補償の第３実施例
【００２１】
（Ａ）画像表示装置の機能構成について：
図１は本実施形態の画像表示装置１００の機能構成を示すブロック図である。図示するように、画像表示装置１００は、表示体パネル１と、制御回路群４と、セグメント（ＳＥＧ）用及びコモン（ＣＯＭ）用の駆動回路となる表示体駆動回路２１及び表示体駆動回路２２と、書き換えボタン５と、を備えて構成される。
【００２２】
表示体パネル１は記憶性を有するものであり、本実施形態では表示材料としてコレステリック液晶を用いる。そして、図２に示すように、表示材料としてのコレステリック液晶層１ａは、透明電極１ｂ、ガラス基板１ｃ、光吸収層１ｄなどによって挟持されて構成されている。コレステリック液晶層１ａのコレステリック液晶分子は、分子の配向状態によって光の反射率が異なり、例えば、図２（ａ）のプレーナ配向（以下、単に「Ｐ配向」）では入射光を反射するため反射光の色が表示され、同図（ｂ）のフォーカルコニック配向（以下、単に「Ｆ配向」）では入射光を略透過し、その透過光が光吸収層１ｄに吸収されるため黒表示となる。このため、各画素領域におけるコレステリック液晶分子の配向状態を制御することによって、表示体パネル１に表示する画像を書き換えたりして変更することができる。この配向状態は、透明電極１ｂによりコレステリック液晶層１ａに印加する電圧によって制御できるが、Ｐ配向及びＦ配向は配向状態が安定しているため電圧を印加しなくても当該状態が維持される。従って、電圧を印加して書き換えた表示画像は、電力を消費することなくそのまま維持される。もとより、このような構造を有する表示体パネル１が請求項記載の表示体に相当する。
【００２３】
なお、図２（ｃ）のホメオトロピック配向（以下、単に「Ｈ配向」）は、コレステリック液晶分子のらせん構造が崩れた状態であり、光は透過するが安定状態ではないため、電圧をかけている状態でのみ存在する。このＨ配向状態については、以降説明するＤＤＳ駆動において説明する。
図１に戻り、制御回路群４は、表示体パネル１の温度を計測及び保存する温度計測部と、表示体駆動回路２１，２２に電源を供給するセグメント（ＳＥＧ）用及びコモン（ＣＯＭ）用の電源生成回路２３Ａ，２３Ｂと、画像データの生成や表示処理に関わる表示処理部と、を備えている。
【００２４】
温度計測部は、ＣＰＬＤ（Ｃｏｍｐｌｅｘ  Ｐｒｏｇｒａｍｍａｂｌｅ  Ｌｏｇｉｃ  Ｄｅｖｉｃｅ）３３と、ＡＤコンバータ（図中はＡＤＣ）３２と、を備えて構成される。ＣＰＬＤ３３は、ユーザによって画像書き換えボタン５が押されると、内部に保持するプログラムに基づいて動作し、表示体パネル１に設けられた５つの温度センサ３１Ａ〜３１Ｅから温度データをそれぞれ取得する。
【００２５】
温度センサ３１Ａ〜３１Ｅは、図３に示すように、表示体パネル１の裏面の互いに異なる位置に貼付され、図４に示すように、表示体パネル１におけるそれぞれの領域１〜５の温度をそれぞれ計測する。本実施形態では、温度センサとして、温度が上昇すると抵抗値が小さくなるサーミスタを用いる。サーミスタからのアナログ信号は、ＡＤコンバータ３２によってデジタル信号化された温度データに変換されて、ＣＰＬＤ３３に出力される。ＣＰＬＤ３３は、以上のようにして領域１〜５の温度データを取得し、表示体駆動制御回路４４に出力する。
【００２６】
表示処理部は、ＣＰＵ（Ｃｅｎｔｒａｌ  Ｐｒｏｃｅｓｓｉｎｇ  Ｕｎｉｔ）４１、ＲＯＭ（Ｒｅａｄ−Ｏｎｌｙ  Ｍｅｍｏｒｙ）４３、ＲＡＭ（Ｒａｎｄｏｍ  Ａｃｃｅｓｓ  Ｍｅｍｏｒｙ）４２、ＧＰＵ（Ｇｒａｐｈｉｃｓ  Ｐｒｏｃｅｓｓｉｎｇ  Ｕｎｉｔ）４６、表示体駆動制御回路４４、及び、ＶＲＡＭ（Ｖｉｄｅｏ  Ｒａｎｄｏｍ  Ａｃｃｅｓｓ  Ｍｅｍｏｒｙ）４５を備えて構成されている。
【００２７】
ＣＰＵ４１は、表示体駆動制御回路４４を制御し、ＲＯＭ４３は、ＣＰＵ４１の動作に必要なプログラムやデータを保持し、ＲＡＭ４２は、ＣＰＵ４１の動作のワークエリアとして使用される。また、ＧＰＵ４６は、本実施形態では、表示体パネル１に表示すべき画像データを生成（レンダリング）し、生成された画像データは、表示体駆動制御回路４４を介してＶＲＡＭ４５の所定領域に格納される。このように、ＣＰＵ４１とＧＰＵ４６とが所定の動作を行うことによって、表示処理部は請求項記載の判定部、駆動条件設定部、駆動条件変更部、階調設定部、画像生成部としての機能を有し、それぞれの構成要素が各部の機能を実行する。なお、請求項記載の温度計測部は上述した温度計測部が、また請求項記載の表示体駆動部は、上述した表示体駆動回路２１，２２が相当する。
表示体駆動制御回路４４は、ＣＰＵ４１から画像の書き換え指令が出力されると、温度センサ３１Ａ〜３１Ｅから取得した温度データに基づいて、温度差が閾値を超えるか否かを判定し、判定結果に応じた最適な駆動条件を決定して、表示体駆動回路２１，２２に出力する。
【００２８】
ここで、本実施形態における駆動条件とは、表示体パネル１の各画素に対応する液晶に印加する駆動電圧波形の電圧値、印加時間などを特定するための条件である。また、画像表示装置１００では、駆動条件の決定のための対応テーブルを保持する。対応テーブルは、各画素の画像データとして各画素が有する階調値（以降、「画素階調値」）と、各画素を書き換える際に印加する駆動電圧波形の実効電圧値を決定するための階調値（以降、「表示階調値」）との対応関係を示すテーブルである。そして、表示体パネル１の温度をパラメータとし、１つの画素階調値に対して１つの表示階調値が対応するように関係付けがされている。本実施形態では、この対応テーブルはＲＯＭ４３（図１）に格納されている。従って、表示体駆動制御回路４４は、ＣＰＵ４１から画像の書き換え指令が出力されると、取得した温度データと判定結果に応じて対応テーブルを参照し、駆動条件の決定のために、画素階調値を表示階調値に変換する。
【００２９】
表示階調値は、コレステリック液晶の最終的な分子配向を、前述したＰ配向かＦ配向かのどちらかに選択決定する選択期間（以降説明するＤＤＳ駆動方式では、この期間を「Ｓｅｌｅｃｔｉｏｎ期間」と呼ぶ）に印加すべき実効電圧値（以下、「Ｓｅｌｅｃｔｉｏｎ電圧」と呼ぶこともある。）を有する駆動電圧波形を決定するものである。従って、この場合は、Ｓｅｌｅｃｔｉｏｎ電圧が駆動条件に相当する。なお、後述するが、本実施形態では１６種類の実効電圧値（Ｓｅｌｅｃｔｉｏｎ電圧）が用意されている。したがって、変換された表示階調値に応じて、この１６種類の実効電圧値からＳｅｌｅｃｔｉｏｎ電圧が選択されることになる。
【００３０】
さらに、表示体駆動制御回路４４は、同じく後述するが、判定結果に応じて、ＧＰＵ４６で生成した画像データを２値データに変換する処理も行う。この処理に際して、ＶＲＡＭ４５は、ＧＰＵ４６から表示体駆動制御回路４４に転送された画像データが展開され、２値データへの変換処理の際のワークエリアとして使用される。
ところで、本実施形態では、表示体パネル１に表示する画像の階調数は４階調であるものとし、各画素の画像データ（画素階調値）は４種類で表されるものとする。従って、ＣＰＵ４１から表示体駆動制御回路４４に出力される画像データは、４種類の駆動条件に対応するデータである。
【００３１】
また、本実施形態では、画素階調値は、表示体パネル１の表示画面の反射率が最も高い状態（白状態）を１、最も低い状態（黒状態）を０として規格化した値（これを、「規格化反射率」とも呼ぶ）で表したとき、４等分の反射率を示す値であるものとする。すなわち、４段階の階調表示に相当する規格化反射率（０，１／３，２／３，１）に相当する値を有するものとする。もとより、この４階調に相当する画素階調値は、実際に表示体に表示された画像について、この画像を構成する画素の反射率や透過率に相当する値であることから、表示体に用いる表示材料によって決まるものである。
【００３２】
表示体駆動回路２１，２２は、表示体駆動制御回路４４から、表示体パネル１の各画素に応じた駆動条件が出力されると、当該駆動条件で特定された駆動電圧波形を生成し、表示体パネル１の各画素に印加する。本実施形態では表示体パネル１の駆動方式として、交差電極間に印加する電圧によって液晶を駆動する周知のパッシブ駆動方式を用い、前述した特許文献１に開示されたＤＤＳ駆動方式によって表示体パネル１の表示画像を書き換えるものとする。
【００３３】
具体的には、本実施形態では、セグメント用の表示体駆動回路２１は、図３に示すように、表示体パネル１の紙面縦方向に延びるＭ本のデータ線（図示せず）と、このＭ本のデータ線に対応する各画素に応じた駆動電圧波形を印加するためのＭ個のセグメントドライバＳＥＧ（１）〜ＳＥＧ（Ｍ）と、を備えて構成されている。なお、図中符号２１ａは、表示体駆動制御回路４４からシリアルに転送される駆動電圧波形を当該Ｍ個のセグメントドライバに供給する直並列変換回路である。
【００３４】
また、コモン用の表示体駆動回路２２は、同じく図３に示すように、表示体パネル１の紙面横方向に延びるＮ本の走査線（図示せず）と、このＮ本の走査線のうち１つの走査線に対応する各画素について上述の駆動電圧波形が印加されるように、１つの走査線を順次選択する走査パルスを印加するためのＮ個のコモンドライバＣＯＭ（１）〜ＣＯＭ（Ｎ）と、を備えて構成される。なお、図中符号２２ａは、表示体駆動制御回路４４からシリアルに転送される走査パルスの生成指令を当該Ｎ個のコモンドライバに供給する直並列変換回路である。
【００３５】
表示体駆動回路２１は、ＰＷＭ（Ｐｕｌｓｅ  Ｗｉｄｔｈ  Ｍｏｄｕｌａｔｉｏｎ：パルス幅変調）が可能なＰＷＭ回路を備えており、駆動対象となる画素に印加する駆動電圧波形である電圧パルスのパルス幅を変調して変更する。従って、所定の電圧値の出力時間となるパルス幅が、ＰＷＭ回路によって制御され、その結果、前述した１６種類の実効電圧値が表示体駆動回路２１から出力されるように構成されている。従って、上記４つの駆動条件に応じた実効電圧値に対応するパルス幅を有する駆動電圧波形が、画像の書き換え時に各画素に印加されるのである。
【００３６】
（Ｂ）コレステリック液晶のＤＤＳ駆動方式について：
次に、このように駆動回路が構成された表示体パネル１において、本実施形態で行う駆動方法であるＤＤＳ駆動方式について図５を用いて説明する。図５中、Ｒ０、Ｒ１、Ｒ２、Ｒ３はそれぞれ１つの走査線を示し、その走査線に存在する総ての画素に印加される電圧の種類とその印加経過時間とを示している。図示するように、各画素に印加される印加電圧の種別によってＮｏｎ−Ｓｅｌｅｃｔｉｏｎ期間、Ｐｒｅｐａｒａｔｉｏｎ期間、Ｓｅｌｅｃｔｉｏｎ期間（図５中には「Ｓｅｌ期間」と記す。）、Ｅｖｏｌｕｔｉｏｎ期間の４つに分類される。
【００３７】
Ｎｏｎ−Ｓｅｌｅｃｔｉｏｎ期間は、液晶の状態を変化させない電圧を印加する期間であって、Ｐｒｅｐａｒａｔｉｏｎ期間は、Ｐ配向又はＦ配向になっている液晶をＨ配向にする実効電圧値を印加する期間である。また、Ｓｅｌｅｃｔｉｏｎ期間は、最終的な表示状態（書き換え後にＦ配向にするかＰ配向にするか）を選択するための電圧を、Ｈ配向の状態になった液晶に印加する期間である。Ｅｖｏｌｕｔｉｏｎ期間は、Ｓｅｌｅｃｔｉｏｎ期間で選択した最終的な表示状態に定着するよう電圧を印加する期間である。
【００３８】
コモンドライバＣＯＭ（１）〜ＣＯＭ（Ｎ）は、それぞれが対応する走査線に所定の電圧波形を上記期間に従って印加する。図５では、総ての走査線にＮｏｎ−Ｓｅｌｅｃｔｉｏｎ期間の電圧を印加した後、まず走査線Ｒ０に対してＰｒｅｐａｒａｔｉｏｎ期間の電圧を印加し、当該走査線に、引き続いてＳｅｌｅｃｔｉｏｎ期間、Ｅｖｏｌｕｔｉｏｎ期間と順次所定の電圧を印加していく。また、走査線Ｒ０に印加する電圧がＰｒｅｐａｒａｔｉｏｎ期間に移行した後、Ｓｅｌｅｃｔｉｏｎ期間の分だけタイミングをずらして走査線Ｒ１にもＰｒｅｐａｒａｔｉｏｎ期間の電圧を印加して、走査線Ｒ０と同様に、引き続いて各期間の電圧を印加していく。さらに、同様にして、Ｓｅｌｅｃｔｉｏｎ期間の分だけタイミングをずらして、順次走査線Ｒ２、Ｒ３に所定の電圧が印加されるように所定の駆動電圧波形をコモンドライバから出力する。
【００３９】
セグメントドライバＳＥＧ（１）〜ＳＥＧ（Ｍ）は、１つの走査線ごとに、画像データに応じた信号をそれぞれ対応するデータ線に印加することで、当該印加時にＳｅｌｅｃｔｉｏｎ期間にある画素の最終的な表示状態を選択する。これにより、Ｓｅｌｅｃｔｉｏｎ期間が複数の画素で重複することなく、順次各画素に移行する。このように複数の画素をＳｅｌｅｃｔｉｏｎ期間のみずらして並行に駆動することで、Ｓｅｌｅｃｔｉｏｎ期間毎に順次各画素が書き換えられるのである。
【００４０】
また、ＤＤＳ駆動方式では、Ｓｅｌｅｃｔｉｏｎ期間中にＰ配向又はＦ配向の状態まで移行させることなく、Ｈ配向を維持するか、過渡プレーナー配向（ＴＰ配向：図６参照）と呼ばれるらせん構造のねじれが若干弛緩した状態へ移行させるかの選択を行う。このため、Ｓｅｌｅｃｔｉｏｎ期間中にＰ配向又はＦ配向の状態まで移行させるコンベンショナル駆動方式では、Ｓｅｌｅｃｔｉｏｎ期間に例えば約数十ｍｓ要するのに対し、ＤＤＳ駆動方式では例えば１ｍｓ程度と非常に短いので、高速な書き換え処理が可能である。なお、Ｓｅｌｅｃｔｉｏｎ期間は、画像の書き換え時における表示体パネル１の温度に応じて、その期間の長さが設定され、画像の書き換え動作中は変更されない。ちなみに表示体パネル１の温度が低ければＳｅｌｅｃｔｉｏｎ期間は長く設定される。このＳｅｌｅｃｔｉｏｎ期間が、請求項に記載の選択期間に相当する。
【００４１】
次に、ＤＤＳ駆動方式においてコレステリック液晶の配向状態の遷移過程を説明する。図６（ａ）に示すように、まず、Ｐｒｅｐａｒａｔｉｏｎ期間において、Ｐ配向又はＦ配向になっている液晶を、図２（ｃ）に示したＨ配向にする電圧を印加する。次に、Ｓｅｌｅｃｔｉｏｎ期間において、最終的な表示状態（書き換え後にＦ配向にするかＰ配向にするか）を選択するための電圧を印加する。このとき、例えば、表示階調値に応じた実効電圧値を印加することで、Ｈ配向に維持するか、又は、過渡プレーナー配向（ＴＰ配向）と呼ばれるらせん構造のねじれが若干弛緩した状態へ移行させるかの選択を行う。そして、１つの画素において、印加する実効電圧値に応じて、液晶分子単位レベルでＨ配向とＴＰ配向との混在割合を制御し、面積階調によって中間階調を含めた階調表示を実現する。そして、Ｅｖｏｌｕｔｉｏｎ期間において、Ｓｅｌｅｃｔｉｏｎ期間で選択した最終的な表示状態を定着させるための電圧を印加する。
【００４２】
これにより、Ｓｅｌｅｃｔｉｏｎ期間においてＨ配向としたものは、Ｈ配向をそのまま維持するが、電圧を消去したときに最終的にＰ配向に遷移する。一方、ＴＰ配向となっていた液晶分子は、Ｅｖｏｌｕｔｉｏｎ期間においてＦ配向に遷移し、最終的にＦ配向に定着する。つまり、Ｓｅｌｅｃｔｉｏｎ期間において画素に印加する実効電圧値によって、表示体パネル１に表示する画像を書き換えることができる。ちなみに、１画素の液晶分子が総てＰ配向になると白表示となり、総てＦ配向になると黒表示となる。また、Ｐ配向とＦ配向が混在すると、混在割合に応じた灰色を表示する。
【００４３】
（Ｃ）本実施形態での温度補償の第１実施例：
さて、上述した本実施形態の画像表示装置１００において、図４に示した表示体パネル１の５つの表示領域である領域１〜５において、画像装置１００の装置内若しくは装置外に存在する熱源に起因して、各領域間での温度差が発生した場合、各領域に位置するコレスレリック液晶の粘度がそれぞれ異なることになる。このような場合、１つの温度に応じて設定された表示階調値で特定される駆動電圧波形を、各画素に印加して表示体パネル１を書き換え駆動すると、Ｓｅｌｅｃｔｉｏｎ期間において画素に本来印加すべき実効電圧値とは異なる実効電圧値が印加され、画像を正しく書き換え表示することが出来ないことになる。
【００４４】
そこで、まず、本実施形態の画像表示装置が行う温度補償の第１実施例は、表示体パネル１の各領域１〜５の温度に応じて、印加する実効電圧値を変更処理することで、再現性の良い画像表示を行うものである。この処理について、図７のフローチャートを用いて説明する。なお、画像書き換えボタン５が押されたことによってＣＰＵ４１が起動され、起動されたＣＰＵ４１が、表示体駆動制御回路４４等を所定のプログラムに従って制御することによって、この処理が実行される。
【００４５】
この処理が開始されると、まず、ステップＳ１０１にて、温度センサ３１Ａ〜３１Ｅとしての各サーミスタからの温度を検出する処理を行う。そして、次のステップＳ１０２にて、検出された温度から平均温度を算出する処理を行う。ここでは、平均温度は、５つのサーミスタからの温度の単純平均であるものとする。
次に、ステップＳ１０３にて、平均温度に応じたＳｅｌｅｃｔｉｏｎ期間および基準テーブルを設定する処理を行う。このステップＳ１０３では、取得した温度データから、上述したように表示体パネル１の駆動時における平均温度を求め、前述したように、ＤＤＳ駆動方式を行うためのＳｅｌｅｃｔｉｏｎ期間を平均温度に応じて設定する。また予めＲＯＭ４３にデフォルトとして格納された対応テーブルを基準テーブルとして設定する。基準テーブルについては後述する。
【００４６】
次に、ステップＳ１０４にて、検出した温度の温度差を算出する処理を行う。本実施例では、ステップＳ１０２において算出された平均温度からの偏差を算出し、算出した偏差を温度差とする。もとより、偏差をさらに平均温度で除した値を、温度差として算出することとしてもよい。
次いで、ステップＳ１０５にて、算出した温度差が閾値より大きいか否かを判定処理する。これにより、平均温度と比べて温度が大きく異なっている領域を特定することができる。なお、温度差の算出及び閾値との比較のために、画像表示装置１００は、計算式や閾値の情報データを保持する。また、このステップＳ１０４〜Ｓ１０５における温度差の算出及び閾値との比較判定処理が、請求項記載の判定部が行う処理に相当する。
【００４７】
上記ステップＳ１０５において、温度差が閾値以下であると判定された場合は（ＮＯ）、表示体パネル１の温度が５つの領域全体で略均一であるので、後述する対応テーブルの変更は行わず、ステップＳ１１４に進む。そして、ステップＳ１１４では、画素階調値で表された画像データを、基準テーブルによって駆動条件を表す表示階調値に変換処理し、ステップＳ１１５に進む。ステップＳ１１５では、変換された表示階調値に応じたＳｅｌｅｃｔｉｏｎ電圧を選択することによって駆動条件を設定し、設定された駆動条件で特定される駆動電圧波形を、各画素のＳｅｌｅｃｔｉｏｎ期間において順次印加して、画像を書き換える処理を行う。
【００４８】
一方、温度差が閾値より大きいと判定された場合は（ステップＳ１０５：ＹＥＳ）、ステップＳ１０６にて、ＧＰＵ４６から転送されＶＲＡＭ４５上に格納された画像データにおいて、図４に示した各領域１〜５を判別する処理を行う。具体的には、例えば、各領域内の画素に電圧を印加するためのセグメントドライバとコモンドライバの位置を特定することで判別することができる。
【００４９】
そして、ステップＳ１０７にて、各領域１〜５のうち、１つの領域を選択する処理を行い、続くステップＳ１０８にて、選択された１つの領域が、その領域の温度と平均温度との温度差が閾値以上の領域であるか否かを判定処理する。判定の結果、温度差が閾値よりも小さい領域であると判定された場合（ＮＯ）、ステップＳ１１２にて、選択された１つの領域の画素に対応する画像データ（画素階調値）について、基準テーブルを対応テーブルとして用いて表示階調値に変換する。変換された表示階調値を示すデータは、選択された１つの領域毎にＶＲＡＭ４５に格納される。
【００５０】
一方、判定の結果、温度差が閾値以上の領域であると判定された場合（ステップＳ１０８：ＹＥＳ）、続くステップＳ１０９にて、温度差は高温側へ発生しているか否を判定処理する。そして、判定の結果、高温側へ発生している場合は（ＹＥＳ）、ステップＳ１１０にて、平均温度を高くした温度をパラメータ温度とする対応テーブルを選択する。一方、高温側へ発生していない場合は（ＮＯ）、低温側に温度差が生じているので、ステップＳ１１１にて、平均温度を低くした温度をパラメータ温度とする対応テーブルを選択する。その後、ステップＳ１１２にて、選択された１つの領域の画素に対応する画像データ（画素階調値）について、選択された対応テーブルを用いて表示階調値に変換し、変換した表示階調値を示すデータを、選択された１つの領域毎にＶＲＡＭ４５に格納する。
【００５１】
ここで、本実施例において選択される対応テーブルＴＡおよび基準テーブルについて説明する。図８は対応テーブルＴＡの一例を示したもので、設定された１つのＳｅｌｅｃｔｉｏｎ期間に対して、表示体パネル１の温度ＰＴをパラメータとして、画素階調値と表示階調値との対応関係を規定したものである。図８に示した対応テーブルでは、一例として表示体パネル１の温度ＰＴが２５℃，２６℃，２７℃である場合について示している。縦軸は画素階調値として規格化反射率Ｒを示し、横軸は、その規格化反射率を得るために画素に印加する実効電圧値を決める値となる１６種類の表示階調値Ｈｎ（ｎ＝０〜１５）を示している。ここで、表示階調値Ｈｎは、ｎの値が大きくなるにつれて漸次実効電圧値が増加するような値を有している。従って、対応テーブルＴＡは温度ＰＴをパラメータとする電圧と表示体の明るさとの特性を示した所謂ＶＲ特性カーブを示すものでもある。
【００５２】
そして図８に示した対応テーブルＴＡは、表示体パネル１の平均温度が２６℃であった場合における対応テーブルを規定したもので、パラメータ温度ＰＴ＝２６℃によって規定されている各画素階調値と表示階調値との対応関係を規定する対応テーブルが基準テーブルである。基準テーブルは画素階調値と表示階調値との対応関係が、表示体パネル１の温度に依存せず常に同じ対応関係となるように規定されたものである。そして、表示体の温度の変化に応じて、各画素階調値と表示階調値との対応関係をそれぞれ規定したものが対応テーブルＴＡであって、図８ではパラメータ温度が２５℃と２７℃についての対応テーブルを例示している。従って、ステップＳ１１０およびステップＳ１１１において、表示体パネル１の温度差に応じた対応テーブルを選択することによって、表示体パネル１の平均温度と実際の表示領域の温度とのズレに起因する階調表示のズレを補正するのである。
【００５３】
例えば、ステップＳ１０９にて温度差が高温側へ発生している場合は、表示体パネル１の当該領域の温度が平均温度よりも実際の液晶の温度が高いため、Ｓｅｌｅｃｔｉｏｎ期間が、実際の液晶の温度に対して設定されるべき値より長く設定されてしまう。この結果、Ｓｅｌｅｃｔｉｏｎ期間でＴＰ配向に遷移してしまうため、表示が全体的に黒っぽくなる（Ｆ配向になる）。そこで、ステップＳ１０２で求められた平均温度が２６℃であったとすると、これより高い温度（例えば「２７℃」）をパラメータ温度ＰＴとする対応テーブルを選択して実効電圧値を大きくする（ステップＳ１１０）。
【００５４】
逆に、ステップＳ１０９にて温度差が低温側へ発生している場合は、表示体パネル１の当該領域の温度が平均温度よりも実際の液晶の温度が低いため、Ｓｅｌｅｃｔｉｏｎ期間が、実際の液晶の温度に対して設定されるべき値より短く設定されてしまう。この結果、Ｓｅｌｅｃｔｉｏｎ期間でＴＰ配向に遷移することが出来なくなるため、表示が全体的に白っぽくなる（Ｐ配向になる）。そこで、ステップＳ１０２で求められた平均温度が２６℃であったとすると、これより低い温度（例えば「２５℃」）をパラメータ温度ＰＴとする対応テーブルを選択して実効電圧値を小さくする（ステップＳ１１１）。
【００５５】
平均温度に対して、どのくらいパラメータ温度ＰＴを高くするか、あるいは低くするかについては、画像の書き換え動作において設定されたＳｅｌｅｃｉｏｎ期間の長さや、表示体パネル１の構造および表示材料に依存する。そこで、予め表示体パネル１について、平均温度に対して所定の温度差を与えて表示状態を実測し、その実測結果に基づいて予めどのくらいパラメータ温度ＰＴを高くするか低くするかを設定しておくことが好ましい。もとより、各温度センサ３１Ａ〜３１Ｅが測定した温度そのものをパラメータ温度としてもよい。
【００５６】
そして、ステップＳ１１２にて、選択された対応テーブルを用いて、画素階調値を表示階調値に変換設定処理する。本実施例では図８に示したように１つの画素階調値（規格化反射率）に対して１つの表示階調値に変更設定される。例えば、温度ＴＰ＝２７℃が選択された対応テーブルであれば、表示階調値は（Ｈ０，Ｈ８，Ｈ１１，Ｈ１５）の４種類が選択される。こうして、表示体駆動制御回路４４は、（Ｈ０，Ｈ８，Ｈ１１，Ｈ１５）の各表示階調値の種類を示す４ｂｉｔのデータを、Ｓｅｌｅｃｔｉｏｎ期間において、対象となる画素に印加するＳｅｌｅｃｔｉｏｎ電圧のデータとして表示体駆動回路２に出力する。なお、温度ＴＰ＝２５℃が選択された対応テーブルであれば、表示階調値は（Ｈ０，Ｈ４，Ｈ７，Ｈ１５）の４種類が設定される。もとより、基準テーブルを用いた場合は、表示階調値は平均温度に関係なく常に（Ｈ０，Ｈ６，Ｈ９，Ｈ１５）の４種類に変更設定されるのである。
【００５７】
次に、ステップＳ１１３にて、未選択の領域が有るか否かを判定し、未選択の領域が有れば（ＹＥＳ）、ステップＳ１０７に戻って、未選択の領域を１つ選択して、ステップＳ１０７以降ステップＳ１１３までの処理を繰り返す。そして、未選択の領域が無くなったら（ＮＯ）、ステップＳ１１５に進む。
ステップＳ１１５では、領域１〜５のそれぞれにおいて、各領域の画像データ（画素階調値）を変換した表示階調値に対して、対応するＳｅｌｅｃｔｉｏｎ電圧を選択することによって駆動条件を設定する。そして、設定された駆動条件で特定される駆動電圧波形を、各画素のＳｅｌｅｃｔｉｏｎ期間において順次印加して、画像を書き換える処理を行う。以上で、第１実施例の処理を終了する。
【００５８】
この結果、表示体パネル１の各領域１〜５において、領域間での温度差が大きい場合、平均温度に応じて選択された対応テーブルでは、温度差が大きい領域における表示材料である液晶材料の温度が平均温度と異なるため適切な駆動条件を得られない。このため、画像が白くなったり暗くなったりすることになるが、本実施例の如く温度差が大きい領域について選択された対応テーブルを変更すれば、これを防止して再現性の良い画像を表示することができ、正確で自然な階調を再現することが可能となる。
【００５９】
なお、ＤＤＳ駆動方式は、上記図６（ａ）に示す方式に限られず、図６（ｂ）のようにして配向状態を選択する場合も含むものである。この場合には、Ｓｅｌｅｃｔｉｏｎ期間までは図６（ａ）と同じであるが、Ｅｖｏｌｕｔｉｏｎ期間において印加する電圧が図６（ａ）の場合よりも低い。これにより、Ｅｖｏｌｕｔｉｏｎ期間における配向状態の遷移が図６（ａ）の場合とは異なったものとなり、Ｓｅｌｅｃｔｉｏｎ期間においてＨ配向を維持したものがＦ配向に遷移し、ＴＰ配向に遷移したものがＰ配向に遷移して、そのまま最終的な配向状態となる。
【００６０】
従って、この場合には、上記説明とは逆になり、温度差が低温側であった場合は、Ｓｅｌｅｃｔｉｏｎ期間でＴＰ配向に遷移することができなくなるため、表示が全体的に黒っぽくなる（Ｆ配向になる）。よって、パラメータ温度が低い対応テーブルを選択することによって実効電圧値を減少してＴＰ配向に遷移しやすくし、表示画像を全体的に明るくすることでこれを相殺すれば、正確で自然な階調を再現できる。一方、温度差が高温側の場合は、Ｓｅｌｅｃｔｉｏｎ期間でＴＰ配向に遷移してしまうため、表示が全体的に白っぽくなる（Ｐ配向になる）。よって、パラメータ温度が高い対応テーブルを選択することによって実効電圧値を増加してＴＰ配向に遷移しにくくし、表示画像を全体的に暗くすることでこれを相殺すれば、正確で自然な階調を再現できる。
【００６１】
（Ｄ）本実施形態での温度補償の第２実施例：
上記第１実施例では、温度をパラメータとした対応テーブルによって、画素階調値を表示階調値に変更設定し、表示体パネルの各表示領域において平均温度と実際の液晶の温度との温度差を温度補正する処理方法であった。次に、本実施形態にける第２実施例は、後述するガンマ値を用いて、画素階調値を表示階調値に変換設定することによって温度の補正処理を行うものである。この処理について、図９のフローチャートを用いて説明する。
【００６２】
画像書き換えボタン５が押されたことによってＣＰＵ４１が起動され、この処理が開始される。なお、図９に示した第２実施例の処理フローチャートにおいて、図７に示した第１実施例の処理フローチャートと同じ処理が行われる処理ステップは同じ符号を付した。つまり、ステップＳ１０３ａ，Ｓ１１０ａ，Ｓ１１１ａ，Ｓ１１２ａ，Ｓ１１４ａ以外の処理ステップ（例えばステップＳ１０１、ステップＳ１０２など）は、図７にて説明した処理と同じ処理が行われるため、ここではそれらの詳しい説明を省略し、これらの異なる処理ステップを中心に、その処理内容を説明する。
【００６３】
この処理が開始されると、まず、ステップＳ１０１にて、温度センサ３１Ａ〜３１Ｅとしての各サーミスタからの温度を検出する処理を行う。そして、次のステップＳ１０２にて、検出された温度から平均温度を算出する処理を行い、次いで、ステップＳ１０３ａにて、算出された平均温度に応じたＳｅｌｅｃｔｉｏｎ期間およびガンマ値を設定する。ここでは、ガンマ値として予めＲＯＭ４３にデフォルト値として格納された値を設定する。
【００６４】
ここで、ガンマ値について説明する。ガンマ値は、画素階調値をＸとし、表示階調値をＹとしたとき、以下の式（１）の対応関係となるように規定したものである。このガンマ値は、駆動電圧波形の生成に必要なパラメータであり、本実施形態ではＳｅｌｅｃｔｉｏｎ期間に画素に印加する実効電圧値を決めるためのパラメータである。具体的には、温度が高いときは液晶分子の粘性が低くなるため、Ｓｅｌｅｃｔｉｏｎ期間に印加する実効電圧値が小さくなるように、また温度が低いときは液晶分子の粘性が高くなるためＳｅｌｅｃｔｉｏｎ期間に印加する実効電圧値が大きくなるように、ガンマ値を設定する。
【００６５】
Ｙ  ＝  Ｘγ    …（１）
【００６６】
なお、本実施形態では、画素階調値および表示階調値の各値は、表示体パネル１の表示画面の反射率が最も高い状態（白状態）を１、最も低い状態（黒状態）を０として規格化した規格化反射率である。もとより、画像データが画素毎に８ビットで示される０〜２５５までのいずれかの階調値であった場合は、階調値「０」を規格化反射率「０」とし、階調値「２５５」を規格化反射率「１」とし、例えばディザマトリックスを用いた階調変換処理等によって、各画素の階調値を規格化反射率に変換したものを画素階調値とすればよい。また、本実施形態では、画素階調値は４段階の階調表示に相当する規格化反射率（０，１／３，２／３，１）の値を有するものとする。
さて、（１）式において、ガンマ値を１に設定すると、４階調の画素階調値Ｘの各値は（０，１／３，２／３，１）であるので、表示階調値Ｙの値は（０，１／３，２／３，１）となる。そして、この表示階調値の値（０，１／３，２／３，１）に対応するＳｅｌｅｃｔｉｏｎ電圧が選択される。
【００６７】
表示階調値に対応するＳｅｌｅｃｔｉｏｎ電圧は、本実施形態では図１０に示したように１つの表示階調値（規格化反射率）に対して１つの実効電圧値が対応するように関係付けがされ、所定のテーブルＴＢとして、ＲＯＭ４３（図１）に格納されている。従って、ガンマ値が１の場合は、テーブルＴＢから、Ｓｅｌｅｃｔｉｏｎ電圧は（Ｖ０，Ｖ５，Ｖ１０，Ｖ１５）の４種類が選択される。こうして、表示体駆動制御回路４４は、ＣＰＵ４１から出力される４階調の画素階調値（０，１／３，２／３，１）に応じて、（Ｖ０，Ｖ５，Ｖ１０，Ｖ１５）の各Ｓｅｌｅｃｔｉｏｎ電圧の種類を示す４ｂｉｔのデータを、対象となる画素にＳｅｌｅｃｔｉｏｎ期間に印加する実効電圧値を決定するためのデータとして表示体駆動回路２１に出力する。なお、Ｓｅｌｅｃｔｉｏｎ電圧Ｖ０からＳｅｌｅｃｔｉｏｎ電圧Ｖ１５までは、対応する駆動電圧波形の実効電圧値が、互いに所定の差を有しながら漸増するように設定されている。
【００６８】
また、ガンマ値を、「１」より大きい「２」と設定した場合は、４階調の画素階調値Ｘの各値（０，１／３，２／３，１）に対応する表示階調値Ｙの値は（０，１／９，４／９，１）となる。したがって、４階調の表示階調値（０，１／９，４／９，１）に応じて、図１０よりＳｅｌｅｃｔｉｏｎ電圧は（Ｖ０，Ｖ１，Ｖ７，Ｖ１５）の４つの種類が選択される。そして、表示体駆動制御回路４４は、（Ｖ０，Ｖ１，Ｖ７，Ｖ１５）のＳｅｌｅｃｔｉｏｎ電圧の種類を示す４ｂｉｔのデータを表示体駆動回路２１に出力するのである。
【００６９】
上記のガンマ値の説明からわかるように、ガンマ値を大きくすると、中間の規格化反射率を示す表示階調値が黒側（０）に寄るので表示画像は暗くなり、ガンマ値を小さくすると中間の規格化反射率を示す表示階調値が白側（１）に寄るので表示画像は明るくなる。
以上でガンマ値の説明を終わり、次に、図９のステップＳ１０４にて、検出した温度の温度差を算出する処理を行い、次いで、ステップＳ１０５にて、算出した温度差が閾値より大きいか否かを判定処理する。これにより、平均温度と比べて温度が大きく異なっている領域を特定する。
【００７０】
上記ステップＳ１０５において、温度差が閾値以下であると判定された場合は（ＮＯ）、表示体パネル１の温度が５つの領域全体で略均一であるので、設定されたガンマ値を変更せず、ステップＳ１１４ａに進む。そして、ステップＳ１１４ａでは、画素階調値で表された画像データを、設定されたガンマ値によって、駆動条件を表す表示階調値に変換処理し、その後ステップＳ１１５に進む。
【００７１】
一方、温度差が閾値より大きいと判定された場合は（ステップＳ１０５：ＹＥＳ）、ステップＳ１０６にて、ＧＰＵ４６から転送されＶＲＡＭ４５上に展開した画像データにおいて、図４に示した各領域１〜５を判別する処理を行う。具体的には、例えば、各領域内の画素に電圧を印加するためのセグメントドライバとコモンドライバの位置を特定することで判別することができる。
【００７２】
そして、ステップＳ１０７にて、各領域１〜５のうち、１つの領域を選択する処理を行い、続くステップＳ１０８にて、選択された１つの領域が、その領域の温度と平均温度との温度差が閾値以上の領域であるか否かを判定処理する。判定の結果、温度差が閾値よりも小さい領域であると判定された場合（ＮＯ）、ステップＳ１１２ａにて、選択された１つの領域の画素に対応する画像データ（画素階調値）について、設定されたガンマ値を用いて表示階調値に変換する。変換された表示階調値を示すデータは、選択された１つの領域毎にＶＲＡＭ４５に格納される。
【００７３】
一方、判定の結果、温度差が閾値以上の領域であると判定された場合（ステップＳ１０８：ＹＥＳ）、続くステップＳ１０９にて、温度差は高温側へ発生しているか否を判定処理する。そして、判定の結果、高温側へ発生している場合は（ＹＥＳ）、ステップＳ１１０ａにて、ガンマ値を小さく変更処理し、高温側へ発生していない場合は（ＮＯ）、低温側に温度差が生じているので、ステップＳ１１１ａにて、ガンマ値を大きく変更処理する。その後、ステップＳ１１２ａにて、選択された１つの領域の画素に対応する画像データ（画素階調値）について、変更されたガンマ値を用いて表示階調値に変換し、変換した表示階調値を示すデータを、選択された１つの領域毎にＶＲＡＭ４５に格納する。
【００７４】
例えば、ステップＳ１０３ａで設定されたガンマ値が「２」であったとすると、ステップＳ１０９で高温側に温度差が発生している場合は、温度差が発生している領域の液晶の温度が平均温度よりも上昇していることになる。従って、Ｓｅｌｅｃｔｉｏｎ期間に印加される実効電圧値によって、ＴＰ配向に遷移し易くなってしまい、表示が全体的に黒っぽくなる（Ｆ配向になる）。よってガンマ値を例えば「１．５」と小さく変更することによって、表示画像を全体的に明るくすることでこれを相殺し、正確で自然な階調の画像を再現する（ステップＳ１１０）。
【００７５】
逆に、ステップＳ１０９で低温側に温度差が発生している場合は、温度差が発生している領域の液晶の温度が平均温度よりも下降していることになる。従って、Ｓｅｌｅｃｔｉｏｎ期間に印加される実効電圧値ではＴＰ配向に遷移することができなくなってしまうため、表示が全体的に白っぽくなる（Ｐ配向になる）。よってガンマ値を例えば「２．５」と大きく変更することによって、表示画像を全体的に暗くすることでこれを相殺し、正確で自然な階調の画像を再現する（ステップＳ１１１）。
【００７６】
そして、ステップＳ１１３にて、未選択の領域が有るか否かを判定し、未選択の領域が有れば（ＹＥＳ）、ステップＳ１０７に戻って、未選択の領域を１つ選択して、ステップＳ１０７以降ステップＳ１１３までの処理を繰り返す。そして、未選択の領域が無くなったら（ＮＯ）、ステップＳ１１５に進む。
ステップＳ１１５では、領域１〜５のそれぞれにおいて、各領域の画像データをガンマ値によって変換した表示階調値に対して、対応するＳｅｌｅｃｔｉｏｎ電圧を選択することによって駆動条件を設定する。そして、設定された駆動条件で特定される駆動電圧波形を、各画素のＳｅｌｅｃｔｉｏｎ期間において順次印加して、画像を書き換える処理を行う。以上で、第２実施例の処理を終了する。
【００７７】
この結果、表示体パネル１の各領域１〜５において、領域間での温度差が大きい場合、平均温度に応じて設定されたガンマ値では、温度差が大きい領域における表示材料である液晶材料の温度が平均温度と異なることによって、画像が白くなったり暗くなったりすることになるが、本実施例の如く温度差が大きい領域についてガンマ値を変更すれば、これを防止して再現性の良い画像を表示することができ、正確で自然な階調の画像を再現することが可能となる。
【００７８】
なお、上述した第１実施例と同様に、ＤＤＳ駆動方式は、上記図６（ａ）に示す方式に限られず、図６（ｂ）のようにして配向状態を選択する場合も含むものである。この場合には、Ｓｅｌｅｃｔｉｏｎ期間までは図６（ａ）と同じであるが、Ｅｖｏｌｕｔｉｏｎ期間において印加する電圧が図６（ａ）の場合よりも低い。これにより、Ｅｖｏｌｕｔｉｏｎ期間における配向状態の遷移が図６（ａ）の場合とは異なったものとなり、Ｓｅｌｅｃｔｉｏｎ期間においてＨ配向を維持したものがＦ配向に遷移し、ＴＰ配向に遷移したものがＰ配向に遷移して、そのまま最終的な配向状態となる。
【００７９】
従って、この場合には、上記説明とは逆になり、温度差が低温側であった場合は、Ｓｅｌｅｃｔｉｏｎ期間でＴＰ配向に遷移することができなくなるため、表示が全体的に黒っぽくなる（Ｆ配向になる）。よってガンマ値を減少させることによって、表示画像を全体的に明るくすることでこれを相殺し、正確で自然な階調を再現できる。一方、温度差が高温側の場合は、Ｓｅｌｅｃｔｉｏｎ期間でＴＰ配向に遷移してしまうため、表示が全体的に白っぽくなる（Ｐ配向になる）。よってガンマ値を増加させることによって、表示画像を全体的に暗くすることでこれを相殺し、正確で自然な階調を有する画像を再現できる。
【００８０】
（Ｅ）本実施形態での温度補償の第３実施例：
上記第１実施例および第２実施例では、中間調を含む４階調の階調表示を、温度差に応じて補正する例であったが、実際に生じている各領域の温度差が閾値を超えた場合は、画像が本来有する数の階調表示を行うことが困難な場合が存在する。例えば、平均温度そのものが相当に高温であって、更に高温側に温度差が生ずる場合や、逆に平均温度そのものが相当に低温であって、更に低温側に温度差が生ずる場合などでは、中間調を表示するための実効電圧値が、ＰＷＭ回路によって制御される１６種類では設定できないような場合である。
【００８１】
そこで、本実施形態の画像表示装置が行う温度補償の第３実施例は、表示体パネル１の温度差に応じて、階調表示数を少なく処理するものである。こうすれば、例えば中間調（例えば灰色）を、黒色か白色かに前もって変更するので、１つの文字が太くなったり細くなったりすることが回避され、温度変化に影響されない安定した画像を表示することができることになる。この処理について、図１１のフローチャートを用いて説明する。
【００８２】
画像書き換えボタン５が押されたことによってＣＰＵ４１が起動され、起動されたＣＰＵ４１が、表示体駆動制御回路４４等を所定のプログラムに従って制御することによって、この処理が実行される。なお、図１１に示した第３実施例の処理フローチャートにおいて、図９に示した第２実施例の処理フローチャートと同じ処理が行われるステップは同じ符号を付した。つまり、ステップＳ１０１からステップＳ１０８までと、ステップＳ１１２ａからステップ１１５までは、図９にて説明した処理と同じ処理が行われるため、ここでは説明を省略し、異なる処理ステップＳ１２０について、その処理内容を説明する。
【００８３】
第３実施例では、ステップＳ１０８にて温度差が閾値以上の領域であると判定された場合（ＹＥＳ）、ステップＳ１２０にて画素階調値を２値に変更する処理を行う。第２実施例では、表示体パネル１に表示する画像の階調数は４階調であるものとした。すなわち、画像の書き換えが行われるとき、各画素の画素階調値（０，１／３，２／３，１）を変換した表示階調値も、設定されたガンマ値に応じて４種類の階調値に変換され、変換された表示階調値に対応する４種類のＳｅｌｅｃｔｉｏｎ電圧が選択されるものとした。
【００８４】
第３実施例では、表示体駆動制御回路４４が、ガンマ値に基づいて画像データとしての画素階調値を表示階調値に変換する際、４階調の画素階調値（０，１／３，２／３，１）を、前もって２種類の画素階調値に変更する。本実施例では、画素階調値（１／３）を画素階調値（０）に、画素階調値（２／３）を画素階調値（１）に変更するものとする。具体的な処理方法としては、前述したように、画像データが画素毎に８ビットで示される０〜２５５までのいずれかの階調値であった場合は、２値化用のディザマトリックスを用いた階調変換処理によって階調値を「０」と「２５５」とに２値化し、規格化反射率「０」と規格化反射率「１」とからなる画素階調値に変換処理を行う。
【００８５】
前述の説明からわかるように、ガンマ値に関わらず、画素階調値（０）は表示階調値（０）に変換され、画素階調値（１）は表示階調値（１）に変換される。この結果、Ｓｅｌｅｃｔｉｏｎ電圧は、図１０に示したように、表示階調値（０）と（１）に応じた実効電圧値を示す電圧Ｖ０とＶ１５とが選択される。従って、画素ごとに安定して液晶の配向状態を選択することができることから、黒表示（規格化反射率は０）もしくは白表示（規格化反射率は１）を安定して表示することが可能である。この結果、画素階調値（１／３）が白表示になったり、画素階調値（２／３）が黒表示になったりして、１つの文字が太くなったり細くなったりすることが回避され、表示体パネル１の温度差に依存することなく、安定した画像を表示することができるものである。
【００８６】
このように、第３実施例によれば、表示体パネル１における複数の表示領域間での温度差が大きい場合、温度差が大きい領域について、例えば、予め灰色を示す中間調の階調値を、文字の線が太ったり細ったりしないように白色か黒色かを示す２種類の階調値に変換して、表示階調数を少なくする。この結果、表示領域間での温度差が閾値を超える領域であっても、２値画像となってアンチエイリアスの実現が困難であるものの、文字の線が太ったり細ったりすることのない再現性のよい画像を表示することが可能となる。もとより、これ以外の領域では、階調表示数を減らすことを行わないので、再現性の良い画像を表示することができる。
以上、本発明について、一実施形態および実施例を用いて説明したが、本発明はこうした実施形態および実施例に何ら限定されるものではなく、本発明の趣旨を逸脱しない範囲内において様々な形態で実施し得ることは勿論である。以下変形例を挙げて説明する。
【００８７】
（第１変形例）
上記実施形態では、図１に示したように、ＧＰＵ４６によって生成され、ＶＲＡＭ４５の所定領域に格納された画像データを、変更することなく規格化反射率に置き換えた画素階調値とした。そして、設定あるいは変更された対応テーブルやガンマ値に応じた表示階調値に変換し、変換した表示階調値に対応するＳｅｌｅｃｔｉｏｎ電圧を選択した。このため、設定された対応テーブルやガンマ値が変化すると、変換される表示階調値も異なる値に変化するために、異なる値を有する表示階調値が増えることによって、それぞれ対応するＳｅｌｅｃｔｉｏｎ電圧も種類数が多くなる。そこで、上記実施形態では、４ビット１６種類のＳｅｌｅｃｔｉｏｎ電圧を用意することとしていた。従って、１６種類のＳｅｌｅｃｔｉｏｎ電圧に対応する実効電圧値を駆動対象の画素に印加するために、ＰＷＭ回路によって出力電圧パルスのパルス幅を１６種類に変更した１６種類の駆動電圧波形を生成した。
【００８８】
ところで、一般的に表示体パネル１に印加する駆動電圧波形の種類数が少なければ少ないほど駆動電圧波形の生成処理が容易になる。また、詳細は説明しないが、駆動電圧波形の種類数が少なければ、クロストークといった表示画像品質を劣化させる要因も抑制することができる。そこで、第１変形例として、Ｓｅｌｅｃｔｉｏｎ電圧、つまり駆動電圧波形の種類数を減らし、予め定められたパルス幅の駆動電圧波形のみが画素に印加されるようにしてもよい。
【００８９】
こうすると、本来表示すべき階調に応じた駆動電圧波形に対して、異なる駆動電圧波形を画素に印加することが生じるため、本来表示すべき階調と異なる階調が表示されてしまうことになる。そこで、本変形例では、ＶＲＡＭ４５の所定領域に格納された画像データとは異なる画像データを生成する。このとき、生成した画像データを規格化反射率に変換した画素階調値を、設定されたガンマ値に応じて表示階調値に変換したとき、変換された表示階調値が常に同じになるようにするのである。こうすることによって、選択されるＳｅｌｅｃｔｉｏｎ電圧が常に同じになり、画像の書き換え時に、予め定められたパルス幅の駆動電圧波形のみを画素に印加すればよいことになる。
【００９０】
それでは、第１変形例に係る画像表示装置ついて説明する。第１変形例としての画像表示装置は、図１において、ＧＰＵ４６が、設定あるいは変更された対応テーブルやガンマ値に応じて、ＶＲＡＭ４５に格納した画像データを変更生成する処理を行う点が、画像表示装置１００とは異なる。従って、本変形例の画像表示装置の機能構成は、図１に示す上記実施形態の画像表示装置１００と基本的に同じものである。
【００９１】
具体的に、例えば本変形例として機能する場合の画像表示装置１００では、ＧＰＵ４６は、設定されたガンマ値を基に、既に生成してＶＲＡＭ４５の所定領域に格納した画像データを変更生成する。この際、画素階調値に対応して、設定されたガンマ値で規定される表示階調値の値が、予め定められた値となるように、生成した各画素の画像データを、ガンマ値に応じて変更生成し、再びＶＲＡＭ４５の所定領域に格納する。
【００９２】
例えば、図９のフローチャートに示した第２実施例の処理において、本変形例による処理を行う場合は、ステップＳ１０３ａの処理以降ステップＳ１１２ａおよびステップＳ１１４ａの処理が行われる前に、設定もしくは変更されたガンマ値によって変換後の表示階調値が、予め定められた表示階調値になる画素階調値が得られるように、画像データを生成する。一例として、予め定められた表示階調値Ｙが（０，１／９，４／９，１）である場合、設定もしくは変更されたガンマ値が１の場合は画素階調値Ｘが（０，１／９，４／９，１）に、また設定もしくは変更されたガンマ値が２の場合は画像階調値Ｘが（０，１／３，２／３，１）になるように、画像データを生成する。
画像データの生成処理としては、例えば、もともとの画素階調値Ｘが（１／３）であるべき画素について、設定もしくは変更されたガンマ値が２のときは、画素階調値Ｘも（１／３）になるように画素の階調値を生成する。こうすれば、変換後の表示階調値は（１／９）となって、予め定められた表示階調値になる。
【００９３】
一方、設定もしくは変更されたガンマ値が１のときは、画素階調値Ｘ（１／３）の画素に対応する表示階調値Ｙは同じく（１／３）に変換されるので、予め定められた表示階調値と異なる表示階調値となってしまう。そこで、表示階調値（１／３）に最も近い実効電圧値を有するＳｅｌｅｃｔｉｎ電圧に対応した表示階調値を選択する。前述した図１０において、本変形例では、Ｓｅｌｅｃｔｉｏｎ電圧Ｖ５に対して、表示階調値（４／９）に相当するＳｅｌｅｃｔｉｏｎ電圧Ｖ７が、最も近い実効電圧値を有するものとすると、ガンマ値が１であるので、画素階調値（１／３）を、表示階調値と同じ変更画素階調値（４／９）に変更する。つまり、ガンマ値が１のときは、もともとの画素階調値が（１／３）であるべき画素について、画素階調値が（４／９）になるように、画素の階調値を生成するのである。
【００９４】
このような処理を総ての画素について行い、各画素の画素階調値を変更画素階調値に変更生成することで、駆動電圧波形の種類を特定することが可能となる。なお、上述した画像データの生成処理に際して、予め定められた表示階調値の値を、（０，１／９，４，９，１）の一定値としたが、一定値とせず、図１０に示すように、１つのＳｅｌｅｃｔｉｏｎ電圧が選択される所定の範囲幅を有する範囲値を、予め定められた表示階調値としてもよい。図示するように、所定の範囲幅の表示階調値に対応して１つのＳｅｌｅｃｔｉｏｎ電圧が選択され、予め定められた表示階調値が一定値の時と同様に、駆動電圧波形の種類を少なくできるからである。
【００９５】
その後、表示体駆動制御回路４４は、ＶＲＡＭ４５に格納された画像データと、ガンマ値とから、予め定められた表示階調値に変換処理後、表示階調値に対応して選択された特定のＳｅｌｅｃｔｉｏｎ電圧を、駆動タイミングにあわせて表示体駆動回路２１に出力する。本変形例における表示体駆動回路２１は、上記実施例とは異なり、セグメントドライバが２ｂｉｔのデータ入力に応じて４種類のＰＷＭ出力が可能なＰＷＭ回路を備えており、Ｓｅｌｅｃｔｉｏｎ電圧に応じたパルス幅を有する駆動電圧波形を生成して表示体パネル１を駆動する。その他の処理動作については、図９に示した処理フローチャートの通りである。
【００９６】
上記第２実施例では、各画素の階調値データと画素階調値との対応関係は変更することなく、設定あるいは変更されたガンマ値で規定される表示階調値通りのパルス幅を有する駆動電圧波形を画素に印加し、各画素に応じた適切な階調表示を得た。一方、第１変形例では、上述したように、各画素の階調値データと画素階調値との対応関係を変更することで、設定あるいは変更されたガンマ値で規定される表示階調値を予め定めた値とした。この結果、少ない種類数の駆動電圧波形でも、各画素に応じた適切な階調表示を得ることが可能となる。
【００９７】
なお、図１に示した上記実施形態の画像表示装置１００のように、表示体駆動回路２１を、表示体パネル１に表示する画像の階調表示数よりも多い種類の駆動電圧波形を生成可能な構成とした場合には、８階調や１６階調など階調表示数の多い汎用的な画像データに対しても本発明を適用できるという利点がある。また、第１変形例としての画像表示装置１００のように、表示体駆動回路２１が画像データの階調表示数と同じ種類数の駆動電圧波形のみを生成する構成となっている場合であっても、例えば、パーソナルコンピュータと表示体とを通信接続することで表示画像の書き換えを行う構成の画像表示装置であれば、本発明を適用できるという利点がある。つまり、パーソナルコンピュータのＧＰＵで、駆動電圧波形の種類数に合わせて画像データを生成させることができるからである。
【００９８】
（第２変形例）
上記第１実施例および第２実施例では、表示体パネル１において、温度差が閾値より大であった場合、各表示領域毎の温度と平均温度とを比較し（図７，図９：ステップＳ１０８）、その温度差が閾値以上の領域であった場合について、それぞれ対応テーブルを選択したり（図７：ステップＳ１１０，Ｓ１１１）、ガンマ値を変更したり（図９：ステップＳ１１０ａ，Ｓ１１１ａ）した。本変形例では、温度差が閾値より大であった場合、各表示領域毎の温度と平均温度とを比較することなく、各表示領域毎の測定温度（すなわち温度センサ３１Ａ〜３１Ｅの測定温度）に応じて、平均温度に応じたＳｅｌｅｃｔｉｏｎ期間及び基準テーブルを設定し（図７：Ｓ１０３）、その基準テーブルを元にして、対応テーブルを選択したり、ガンマ値を変更したりするとしてもよい。こうすれば、表示領域の実際の測定温度に応じた適切な階調表示を得ることが可能となる。
【００９９】
例えば、上記第１実施例において本変形例を適用する場合は、図７に示したフローチャートにおいて、ステップＳ１０７にて１つの領域を選択処理した後、この領域の測定温度に応じた対応テーブルを選択して、ステップＳ１１２以降の処理を行えばよい。また、上記第２実施例において本変形例を適用した場合は、図９に示したフローチャートにおいて、ステップＳ１０７にて１つの領域を選択処理した後、この領域の測定温度に応じたガンマ値を選択して、ステップＳ１１２ａ以降の処理を行えばよい。
【０１００】
（その他の変形例）
また、本発明は上記実施形態や実施例および変形例に限定されず、さらに以下のような変形例として実施してもよい。例えば、上記実施形態では、コレステリック液晶を表示材料とし、ＤＤＳ駆動方式で駆動する画像表示装置として説明したが、これ以外にも温度特性が激しい他の表示材料（例えば、電気泳動方式の記憶性表示材料）を用いた画像表示装置としてもよい。また、駆動方式としてコレステリック液晶をコンベンショナル駆動させる駆動方式とした場合に適用してもよい。
【０１０１】
また、上記実施例および変形例では、５つの総ての表示領域について測定した温度を平均して算出した温度を、平均温度としたが、これに限らず、例えば、算出した平均温度に対して最も温度差が大きい領域の測定温度を除外して、残りの４つの領域の測定温度を平均して算出した温度を、新に平均温度とすることとしてもよい。あるいは、算出した平均温度に対して所定の閾値を超える温度差を有する領域の測定温度を除外して、残りの領域の測定温度を平均して算出した温度を、新に平均温度とすることとしてもよい。こうすれば、総ての表示領域のうち、大きく異なる領域の温度を除外することができるので、表示体パネル１の大部分の温度に近い温度を平均温度として設定することができる。
【０１０２】
また、上記実施形態では、図３に示したように、表示体パネル１の中央及び４隅にそれぞれ１個のサーミスタを配置しているが、特に図３に示した個数や場所に限るものでないことは勿論である。例えば、さらに多くのサーミスタを配置してもよいし、配置場所もさらに別の場所としてもよい。表示体パネル１において、複数の表示領域のそれぞれの温度を正しく測定できるように、サーミスタの個数と配置場所を決定すればよい。
【０１０３】
また、上記実施形態では、表示体パネル１の温度測定において、図４に示したように区分された５つの領域（領域１〜５）の温度測定を行うこととしたが、特にこれに限るものでないことは勿論である。領域の区分数を増減したり、区分された表示領域の形を変更することとしても差し支えない。表示体パネルの温度分布を予め測定し、測定した温度分布状態に合わせて、区分する表示領域の数や形を決めればよい。
【０１０４】
また、上記第３実施例では、平均温度との偏差が閾値を超える領域がある場合に、当該領域のデータのみを２値データに変換し、他の領域は中間階調を表示させているが、閾値以下の温度の領域も含む全ての領域で、２値表示させるようにしてもよい。２値データに変換された文字は、文字に含まれる中間階調の画素部分が白か黒かになるため、中間階調表示の文字に対して文字の線が細くなったり太くなったりする。このため、平均温度との偏差が閾値を超える領域に表示される文字の線は、他の領域に表示される文字の線に対して細くなったり太くなったりするため、文字の表示が領域毎に異なってしまう。そこで、このようにすることによって、画像の一部の文字の線が細くなったり太くなったりするのを回避することが可能となる。
【０１０５】
また、上記第実施形態において、ＧＰＵ４６が画像データを生成する際に、文字領域と画像領域を切り分け、文字領域は中間調を持たせた表現とし、画像領域は２値で表示させるように画像データを生成することとしてもよい。すなわち、画像領域では通常多くの階調が表示されているため、画素に印加される駆動電圧波形が適切でなく、本来の階調を表示できない場合、結果として正しく画像を再現表示できなくなる。このとき、文字領域は、温度変化が著しい領域において文字の太さが細くなったりしても、文字の判読は可能であり、不具合を発生する確率は小さい。一方、画像領域の画像データは文字領域の画像データよりも元の画像データを正しく再現できないために不具合が発生する確率が大きい。そこで、画像領域の画像データに関しては、予め適切に画像データを２値表示にすることで、画像領域で現れる表示不具合を軽減するのである。
【０１０６】
また、上記実施形態ではＳｅｌｅｃｔｉｏｎ期間において、駆動電圧波形のパルス幅を変更することで印加時間を変更し、表示すべき階調に応じた実効電圧値を画素に印加したが、パルス幅を変更せず駆動電圧波形の振幅となる印加電圧値を変更することで、実効電圧値を変更することとしてもよい。あるいは、印加時間と印加電圧値との両方を変更することとしてもよい。こうすれば、印加時間と印加電圧値との組み合わせによって、複数種類の実効電圧値を有する駆動電圧波形を生成することができる。
【０１０７】
また、上記実施形態における第３実施例では、表示体駆動制御回路４４がガンマ値に基づいて画素階調値を表示階調値に変換する際、前もって４階調の画素階調値（０，１／３，２／３，１）を２種類の画素階調値（０，１）に変更した。もとより、第３実施例はこれに限るものではなく、上記第１実施例において実施することとしてもよい。例えば、図８に示した対応テーブルＴＡにおいて、総てのパラメータ温度において、画素階調値（０，１／３）が表示階調値（Ｈ０）に、画素階調値（２／３，１）が表示階調値（Ｈ１５）に対応するように規定しておくとよい。こうすれば、２種類の画素階調値（０，１）に容易に変更することができる。
【０１０８】
また、上記実施形態における第３実施例では、画素階調値を表示階調値に変換する際、前もって４階調の画素階調値（０，１／３，２／３，１）を「黒色」と「白色」を示す２種類の画素階調値（０，１）に変更したが、もとより、これに限定されるものではない。例えば、画素階調値（０，１／３）を画素階調値（１／９）に、画素階調値（２／３，１）を画素階調値（８／９）に変更することとしてもよい。表示体パネル１の反射率や透過率は、用いる表示材料の特性によって異なる。従って、表示材料の特性に合わせて、好ましい階調表示に応じた画素階調値に前もって変更することが好ましい。
【０１０９】
また、上記実施形態では、画素階調値が４階調の規格化反射率（０，１／３，２／３，１）で表される画像について温度補償することとしたが、特にこれに限るものでないことは勿論である。例えば、画素階調値が８階調と多い階調表示数で表された画像や、逆に３階調と少ない階調表示数で表された画像についても、同様に本発明を適用することが可能である。また、画素階調値も（０，１／３，２／３，１）のように略均等な規格化反射率の間隔に限るものでなくても差し支えない。
【０１１０】
また、上記実施形態では、Ｓｅｌｅｃｔｉｏｎ電圧の種類数を１６種類（Ｖ０〜Ｖ１５）としたが、これ以外の種類数（例えば２５６種類：Ｖ０〜Ｖ２５５）であってもよい。ＰＷＭ回路のパルス幅変更可能数や、印加電圧の電圧値の種類数に応じてＳｅｌｅｃｔｉｏｎ電圧の種類数を設定すればよい。
また、上記実施形態では、パッシブ駆動方式としたが、アクティブ駆動方式でも同様に上記実施例や変形例を適用することとしてもよい。
【０１１１】
また、上記実施形態としての画像表示装置１００は、上記構成要件を備えて一体的に構成する場合のみならず、上記構成要件が複数の装置に分離して搭載され、それらの複数の装置が通信的に接続されることで、協働して上記実施例や変形例の機能を実現する形態であってもよい。例えば、図１において、表示体パネル１、及び表示体駆動回路２１，２２を備えたクライアント装置と、制御回路群４の機能を備えたホスト装置（パーソナルコンピュータ）と、から構成される画像表示装置としてもよい。
【図面の簡単な説明】
【０１１２】
【図１】本実施形態に係る情報表示装置の内部構成を示すブロック図である。
【図２】コレステリック液晶の配向状態を説明する図である。
【図３】表示体パネルの概略を示す平面図である。
【図４】温度を測定する表示体パネルの各領域を示す平面図である。
【図５】ＤＤＳ駆動における各画素の駆動状態を説明する図である。
【図６】（ａ）（ｂ）とも、コレステリック液晶の配向状態の遷移を示す図である。
【図７】画像表示装置の第１実施例の動作を説明するフローチャートである。
【図８】画素階調値と表示階調値との対応関係を規定する対応テーブルの図である。
【図９】画像表示装置の第２実施例の動作を説明するフローチャートである。
【図１０】Ｓｅｌｅｃｔｉｏｎ電圧と表示階調値の関係を示すグラフである。
【図１１】画像表示装置の第３実施例の動作を説明するフローチャートである。
【符号の説明】
【０１１３】
１…表示体パネル、１ａ…コレステリック液晶層、１ｂ…透明電極、１ｃ…ガラス基板、１ｄ…光吸収層、５…画像書き換えボタン、２１，２２…表示体駆動回路、２３Ａ，２３Ｂ…電源生成回路、３１Ａ〜３１Ｅ…温度センサ、３２…ＡＤコンバータ、３３…ＣＰＬＤ、４…制御回路群、４１…ＣＰＵ、４２…ＲＡＭ、４３…ＲＯＭ、４４…表示体駆動制御回路、４５…ＶＲＡＭ、４６…ＧＰＵ、１００…画像表示装置。
【図１】
2007298957.tif 000003
【図２】
2007298957.tif 000004
【図３】
2007298957.tif 000005
【図４】
2007298957.tif 000006
【図５】
2007298957.tif 000007
【図６】
2007298957.tif 000008
【図７】
2007298957.tif 000009
【図８】
2007298957.tif 000010
【図９】
2007298957.tif 000011
【図１０】
2007298957.tif 000012
【図１１】
2007298957.tif 000013